(57)【要約】【課題】  段積み保管時に、上下の巻取装置の位置合わせを容易にし、上下巻取装置の間隔を最小限にして保管スペースを節約できるようにする。【解決手段】  星形をしたリールフレーム１，１で、ドラム３を挟んで回動自在に保持する巻取装置において、リールフレーム１，１の、少なくとも一方は、外周縁が立ち上がるように折曲されて周壁９が形成され、他方のリールフレーム１の外周部に、前記一方のリールフレーム１と対向させた状態で、前記周壁に内接する位置にゴム脚２，２，２を設けた。巻取装置を段積み保管する際には、巻取装置を横に寝かせた状態で、上下の巻取装置のリールフレーム１を対向させ、下側巻取装置の星形リールフレーム１の尖頭部分に、各ゴム脚２が入り込むようにして上側巻取装置を載せる。その際、ハンドル７が星形リールフレーム１のへこみ部分にくるようにする。【選択図】        図３
2006341950.tif 000002
【特許請求の範囲】
【請求項１】
長尺物が繰り出し自在に巻き取られるドラムと、所定の間隔で対向配置され、前記ドラムを間に挟んで回動自在に保持する一対のリールフレームとを具えた巻取装置であって、
前記一対のリールフレームの内、少なくとも一方は、外周縁が立ち上がるように折曲されて周壁が形成され、他方のリールフレームの外周部に、前記一方のリールフレームと対向させた状態で、前記周壁に内接する位置にゴム脚を複数個分散配置して設けたことを特徴とする巻取装置。
【請求項２】
前記リールフレームの周縁形状を星形にし、その尖頭部分に前記ゴム脚を設けたことを特徴とする請求項１記載の巻取装置。
【発明の詳細な説明】
【技術分野】
【０００１】
本発明は、ホースリール，コードリールのように、エアホース，電気コード等の長尺物を繰り出し自在に貯蔵する巻取装置に関するものである。
【背景技術】
【０００２】
ホースリール，コードリールのレンタルショップ等、多数の巻取装置を保有する事業所では、巻取装置をそのまま保管すると場所をとるので、巻取装置を横に寝かせて段積みして保管するようにしている。
【０００３】
例えば、特許文献１に示されるものでは、鉄パイプからなる一対の輪状サイドフレームを所定間隔をあけて配置し、これら両輪状サイドフレームの外周間に亙って連結杆を複数本架設し、該連結杆の両端部を輪状サイドフレームの外側端より外側に突出させる。そして、横向きにした複数の巻取装置を、輪状サイドフレーム同士が直接当接すると共に、各連結杆の端部が相互に相手側の輪状サイドフレームの外周に掛止するように積み重ねる。そうすることにより、水平方向への位置ずれがなく段積み可能にして、保管場所のスペースを減らすようにしている。
【０００４】
ところが、このような巻取装置では、金属製サイドフレームが常時露出しているため傷付き易く、特に積み重ねた時にはサイドフレーム同士が直接当接するため、傷付いて錆が発生し易いという問題がある。また、積み重ね状態で巻取装置同士は、水平方向へ位置ずれしてずれ落ちることはないものの、輪状サイドフレームに沿って連結杆が所定角度範囲に亙り回転移動可能となるため、回転移動する際にサイドフレーム同士が擦れて更に傷付いてしまう。
【０００５】
そこで、特許文献２に示されるものでは、図４に示すように、エアホース等を巻き取るドラム１２を回動自在に保持するリールフレーム１３，１３の外面４隅に、互いに嵌合可能な脚部１４，１５を設け、巻取装置を保管する際には、ハンドル１６を折りたたんだ上、巻取装置を横に寝かせ、それぞれのリールフレーム１３が対向するように積み重ねる。そして、上下巻取装置の対向するリールフレーム１３，１３に突設した脚部１４，１５の凹凸部同士を嵌合させるようにしている。そうすることにより、リールフレーム同士が所定間隔のスペースをあけて、脚部１４，１５の嵌合方向以外の方向へ移動不能に位置決めして、リールフレーム同士を接触させることなく位置ずれなしに積み重ねることができるようにしている。
【特許文献１】実公平２−８９３９号公報
【特許文献２】特許第２９５４１９５号公報
【発明の開示】
【発明が解決しようとする課題】
【０００６】
しかしながら、そのような巻取装置では、脚部１４，１５の構造が複雑で、製造に高い精度を要し、製造組立に手間がかかる。また、段積みする際に、リールフレーム１３の４隅に設けられた脚部１４を、下側の巻取装置のリールフレーム１２の４隅に設けられた脚部１４にきっちりと位置合わせしなければならないため、段積みの作業に手間がかかるという問題点があった。さらに、上下の巻取装置の間にハンドル１６が配置されるため、上下巻取装置の対向するリールフレーム１３，１３の間隔は、少なくともハンドル１６の高さ以上確保しなければならず、その分、段積みされた巻取装置全体の高さが高くなって、保管スペースを余分に必要とするという問題点もあった。
【０００７】
本発明は、そのような問題点に鑑み、構造が簡単で製造を容易にするとともに、段積み保管時に、上下の巻取装置の位置合わせを容易にし、上下巻取装置の間隔を最小限にして保管スペースを節約できるようにすることを目的とするものである。
【課題を解決するための手段】
【０００８】
前記課題を解決するため、請求項１に記載の巻取装置は、長尺物が繰り出し自在に巻き取られるドラムと、所定の間隔で対向配置され、前記ドラムを間に挟んで回動自在に保持する一対のリールフレームとを具えた巻取装置であって、前記一対のリールフレームの内、少なくとも一方は、外周縁が立ち上がるように折曲されて周壁が形成され、他方のリールフレームの外周部に、前記一方のリールフレームと対向させた状態で、前記周壁に内接する位置にゴム脚を複数個分散配置して設けたことを特徴とする。
【０００９】
また、請求項２に記載の巻取装置は、前記リールフレームの周縁形状を星形にし、その尖頭部分に前記ゴム脚を設けたことを特徴とする。
【発明の効果】
【００１０】
本発明の巻取装置は、次のような効果を奏する。
すなわち、請求項１に記載の巻取装置は、一対のリールフレームの内、少なくとも一方は、外周縁が立ち上がるように折曲されて周壁が形成され、他方のリールフレームの外周部に、前記一方のリールフレームと対向させた状態で、前記外周縁に内接する位置にゴム脚を３個以上設けた。その結果、構造が簡単で製造を容易にし、巻取装置を横に寝かせた状態で、ゴム脚が付いている側を下にして、上下の巻取装置のリールフレームを対向させ、下側巻取装置のリールフレームの周壁内に、各ゴム脚が入り込むようにして上側巻取装置を載せることにより、上下の巻取装置の位置合わせも容易で、上下巻取装置の横ずれも防止できる。
【００１１】
また、請求項２に記載の巻取装置は、前記リールフレームの周縁形状を星形にし、その尖頭部分に前記ゴム脚を設けたので、段積み時、巻取装置のハンドルを星形リールフレームのへこみ部分に位置させることにより、ハンドルがリールフレームの厚さ内に収納された状態になって、上下巻取装置のリールフレーム間にハンドルの厚さ分の間隔を空ける必要がなくなるため、段積みの高さを最小限にして保管スペースを節約できる。また、星形リールフレームの尖頭部分にゴム脚を設けたので、上下の巻取装置は、最も径の大きい部分で支持され、多数の巻取装置を段積みしても安定な状態を保つことができる。
【発明を実施するための最良の形態】
【００１２】
以下、本発明の実施例を図面に基づいて詳細に説明する。
【実施例１】
【００１３】
図１は、本発明の巻取装置の一例を示す図である。左から順に、左側面図，正面図，右側面図である。図１において、１はリールフレーム、２はゴム脚、３はドラム、４はフレームブラケット、５は脚部、６は連結ロッド、７はハンドル、８はホースである。
【００１４】
左右一対のリールフレーム１，１は、連結ロッド６で連結され、ドラム３を間に挟んでドラム３を回動自在に支持している。ドラム３は、ハンドル７を手で回転操作してホース８を巻き取るようになっている。そのようなドラム３を支持しているリールフレーム１は、脚部５付きのフレームブラケット４により保持される。
【００１５】
また、リールフレーム１，１は、周縁形状が星形をしており、図２にその尖頭部分を示すように、その外周縁が立ち上がるように折曲されて周壁９が形成されている。そして、一方のリールフレーム１の各尖頭部分の取付孔１０には、円柱状のゴム脚２が取り付けられる。
【００１６】
そのような巻取装置を段積み保管する際には、図３に示すように、巻取装置を横に寝かせた状態で、ゴム脚２が付いている側を下にして、上下の巻取装置のリールフレーム１を対向させ、下側巻取装置のリールフレーム１の尖頭部分に、各ゴム脚２が入り込むようにして上側巻取装置を載せる。その際、ハンドル７が星形リールフレーム１のへこみ部分にくるようにする。
【００１７】
その結果、３個のゴム脚２が、対向するリールフレーム１の各尖頭部分の図２で点線で囲った部分１１に載置され、各ゴム脚２は、尖頭部分の周壁９により横ずれしないように安定的に保持される。また、下側巻取装置のハンドル７は、星形リールフレーム１のへこみ部分に配置されるため、ハンドル７を折り曲げることなくリールフレーム１から上方に突出していても、ハンドル７が上側巻取装置のリールフレーム１に当たることがなく、上下巻取装置の間隔を最小限にして保管スペースを節約できる。
【００１８】
なお、本発明におけるリールフレームの周縁形状を表現する「星形」は、上記実施例では、尖頭部分が三つ三角配置された形状として示したが、それに限定されず、尖頭部分が四つ，五つ，・・・のように、尖頭部分が三つ以上の種々の星形形状を含むものとする。
【図面の簡単な説明】
【００１９】
【図１】本発明の巻取装置の一例を示す図である。
【図２】リールフレームの一部を示す図である。
【図３】本発明の巻取装置を段積みした状態を示す図である。
【図４】従来の巻取装置を示す図である。
【符号の説明】
【００２０】
１…リールフレーム
２…ゴム脚
３…ドラム
４…フレームブラケット
５…脚部
６…連結ロッド
７…ハンドル
８…ホース
９…周壁
【図１】
2006341950.tif 000003
【図２】
2006341950.tif 000004
【図３】
2006341950.tif 000005
【図４】
2006341950.tif 000006